(57)【特許請求の範囲】
【請求項１】
電流駆動による画素をマトリックス状に配置してなる画素部と、前記画素部を駆動する駆動回路とを有するディスプレイ装置において、
前記画素は、
発光素子と、
ゲートソース間に信号レベル保持用のコンデンサを保持し、前記信号レベル保持用のコンデンサの端子間電圧によるゲートソース間電圧により前記発光素子を駆動するソースフォロワ回路によるトランジスタと、
前記トランジスタのゲートを信号線に接続する信号線用のスイッチ回路と、
前記トランジスタのソースをソース側の基準電圧に接続するソース側のスイッチ回路とを有し、
前記駆動回路は、
前記ソース側のスイッチ回路をオン状態に設定して、前記トランジスタのソース電位を前記ソース側の基準電圧に設定した状態で、前記信号線用のスイッチ回路の駆動により、前記信号線の信号レベルにより前記信号レベル保持用のコンデンサの端子電圧を設定することにより、前記発光素子の駆動に供する前記トランジスタのゲートソース間電圧を設定し、
前記ソース側の基準電圧が、前記信号線の信号レベルにより設定される前記信号レベル保持用のコンデンサの端子間電圧を、階調が低下する側にオフセットさせる電圧であり、
前記駆動回路は、
黒レベル以外の階調において、前記黒レベルの階調に対応する各階調の信号レベルを、前記ソース側の基準電圧の分、階調を増大させる側にオフセットさせて前記信号線の駆動信号を生成する
ことを特徴とするディスプレイ装置。
【請求項２】
前記トランジスタ、前記各スイッチ回路がｎチャンネルＭＯＳ型のトランジスタにより形成された
ことを特徴とする請求項１に記載のディスプレイ装置。
【請求項３】
前記画素は、
前記トランジスタへの電源の供給を停止する電源用のスイッチ回路を有し、
前記駆動回路は、
少なくとも、前記信号線の信号レベルにより前記信号レベル保持用のコンデンサの端子電圧を設定する期間の間、前記電源用スイッチ回路の駆動により前記トランジスタへの電源の供給を停止する
ことを特徴とする請求項１に記載のディスプレイ装置。
【請求項４】
電流駆動による画素をマトリックス状に配置してなるディスプレイ装置の駆動回路において、
前記画素は、
発光素子と、
ゲートソース間に信号レベル保持用のコンデンサを保持し、前記信号レベル保持用のコンデンサの端子間電圧によるゲートソース間電圧により前記発光素子を駆動するソースフォロワ回路によるトランジスタと、
一定の期間、前記トランジスタのゲートを信号線に接続し、前記信号レベル保持用のコンデンサの端子電圧を前記信号線の信号レベルにより設定する信号線用のスイッチ回路と、
少なくとも前記信号線用のスイッチ回路により前記トランジスタのゲートを前記信号線に接続している期間の間、前記トランジスタのソースをソース側の基準電圧に接続するソース側のスイッチ回路とを有し、
前記ソース側の基準電圧が、前記信号線の信号レベルにより設定される前記信号レベル保持用のコンデンサの端子間電圧を、階調が低下する側にオフセットさせる電圧であり、
前記ディスプレイ装置の駆動回路は、
黒レベル以外の階調において、前記黒レベルの階調に対応する各階調の信号レベルを、前記ソース側の基準電圧の分、階調を増大させる側にオフセットさせて前記信号線の駆動信号を生成する
ことを特徴とするディスプレイ装置の駆動回路。
【請求項５】
電流駆動による画素をマトリックス状に配置してなる画素部と、前記画素部を駆動する駆動回路とを有するディスプレイ装置の駆動方法において、
前記画素は、
発光素子と、
ゲートソース間に信号レベル保持用のコンデンサを保持し、前記信号レベル保持用のコンデンサの端子間電圧によるゲートソース間電圧により前記発光素子を駆動するソースフォロワ回路によるトランジスタと、
前記トランジスタのゲートを信号線に接続する信号線用のスイッチ回路と、
前記トランジスタのソースをソース側の基準電圧に接続するソース側のスイッチ回路とを有し、
前記ディスプレイ装置の駆動方法は、
前記ソース側のスイッチ回路をオン状態に設定して、前記トランジスタのソース電位を前記ソース側の基準電圧に設定した状態で、前記信号線用のスイッチ回路の駆動により、前記信号線の信号レベルにより前記信号レベル保持用のコンデンサの端子電圧を設定することにより、前記発光素子の駆動に供する前記トランジスタのゲートソース間電圧を設定し、
前記ソース側の基準電圧が、前記信号線の信号レベルにより設定される前記信号レベル保持用のコンデンサの端子間電圧を、階調が低下する側にオフセットさせる電圧であり、
前記駆動方法は、
黒レベル以外の階調において、前記黒レベルの階調に対応する各階調の信号レベルを、前記ソース側の基準電圧の分、階調を増大させる側にオフセットさせて前記信号線の駆動信号を生成する
ことを特徴とするディスプレイ装置の駆動方法。
【発明の詳細な説明】
【技術分野】
【０００１】
本発明は、ディスプレイ装置、ディスプレイ装置の駆動回路及びディスプレイ装置の駆動方法に関し、例えば有機ＥＬ（Electro Luminescence）素子によるディスプレイ装置に適用することができる。本発明は、ソースフォロワ回路構成のトランジスタにより発光素子を電流駆動する場合に、信号線の信号レベルによりゲートソース間に設けた信号レベル保持用のコンデンサの端子電圧を設定して、この信号レベル保持用のコンデンサの端子間電圧によるゲートソース間電圧により発光素子を駆動するようにして、このトランジスタのソース側端を基準電圧に接続してこの基準電圧により階調を低下させるように信号レベル保持用のコンデンサに設定される端子間電圧をオフセットさせることにより、ソースフォロワ回路構成によるトランジスタにより発光素子を駆動する構成において、面ザラ、黒浮き、コントラストの劣化を防止する。
【背景技術】
【０００２】
従来、有機ＥＬの表示装置においては、例えばＵＳＰ５，６８４，３６５、特開平８−２３４６８３号公報等にディスプレイ装置への応用が種々に提案されるようになされている。
【０００３】
すなわち図１２に示すように、この種のディスプレイ装置１において、画素部２は、マトリックス状に配置されてなる画素（ＰＸ）３に対して、走査線ＳＣＮがライン単位で水平方向に設けられ、またこの走査線ＳＣＮと直交するように信号線ＳＩＧが各列毎に垂直方向に設けられる。このようにして形成されてなる画素部２に対して、ディスプレイ装置１は、垂直駆動回路４により走査線ＳＣＮを駆動して順次ライン単位で画素部２の画素３を駆動すると共に、この画素３の駆動に対応するように水平駆動回路５により信号線ＳＩＧを駆動して各画素３の階調を設定するようになされている。
【０００４】
このため垂直駆動回路４は、ライトスキャン回路（ＷＳＣＮ）４Ａにより、各画素３への書き込みをライン単位で順次指示する書き込み信号ｗｓを生成し、この書き込み信号ｗｓを走査線ＳＣＮに出力して各画素３における階調の設定を制御するようになされている。また水平駆動回路５は、各画素３の階調を指示する階調データＤ１に応じて駆動信号を生成し、この駆動信号を水平セレクタ（ＨＳＥＬ）５Ａにより各信号線ＳＩＧに振り分けて出力し、これらによりディスプレイ装置１は、ライン単位で各画素３の階調を設定するようになされている。
【０００５】
有機ＥＬのディスプレイ装置においては、このようにして駆動される各画素３が、電流駆動による自発光型の素子である有機ＥＬ素子と、この有機ＥＬ素子を駆動する各画素の駆動回路（以下、画素回路と呼ぶ）とにより形成されるようになされている。
【０００６】
しかしてこのようにして形成されるディスプレイ装置においては、ｎチャンネルＭＯＳ型のＴＦＴ（Thin Film Transistor）により各画素回路を形成することにより、また有機ＥＬ素子のアノードをトランジスタに接続してこのトランジスタにより電流駆動することにより、アモルファスシリコンのプロセスを適用して有機ＥＬ素子と画素回路とをガラス基板上に一体に形成することができ、これにより図１３に示すように、ソースフォロワ回路構成により有機ＥＬ素子１２を駆動することが考えられる。
【０００７】
すなわちこの図１４に示すディスプレイ装置１１は、各画素３において、有機ＥＬ素子１２のアノードにソースを接続してなるソースフォロワ回路構成のトランジスタＴＲ２により有機ＥＬ素子１２を電流駆動するように形成され、このトランジスタＴＲ２のゲートに信号レベル保持用のコンデンサＣ１が設けられる。ディスプレイ装置１１は、垂直駆動回路４に設けたライトスキャン回路４Ａから書き込み信号ｗｓを出力するようにして、この書き込み信号ｗｓによりオン動作するトランジスタＴＲ１によるスイッチ回路により、この信号レベル保持用のコンデンサＣ１が信号線ＳＩＧに接続され、これにより書き込み信号ｗｓに応動して信号線ＳＩＧに出力される駆動信号の信号レベルによりトランジスタＴＲ２のゲート電圧Ｖｇが設定される。これによりこのディスプレイ装置１１は、このように設定されたゲート電圧Ｖｇに応じた電流により有機ＥＬ素子１２を駆動し、階調データＤ１に応じた階調により各画素３の有機ＥＬ素子１２を発光させて所望の画像を表示できるようになされている。
【０００８】
しかしながら有機ＥＬ素子においては、図１４に示すように、使用により電流が流れ難くなる方向に電流電圧特性が変化する。なおこの図１４及び図１５において、符号Ｌ１が初期の特性を示し、符号Ｌ２が経時変化による特性を示すものである。これに対して図１３について上述したソーフフォロワ回路による駆動においては、図１５に示すように、トランジスタＴＲ２のドレインソース間電圧Ｖｄｓ−ドレインソース電流Ｉｄｓの特性曲線に対して、負荷による特性曲線が交差してなる交点が動作点となる。これにより有機ＥＬ素子において、電圧電流特性が変化すると、その分、有機ＥＬ素子に流れる電流が減少し、これらにより各画素の輝度が徐々に低下する問題がある。
【０００９】
この問題を解決する１つの方法として、ゲートソース間電圧Ｖｇｓによる階調の設定により有機ＥＬ素子１２の駆動電流を制御する方法が考えられる。すなわちＴＦＴのドレイン電流Ｉｄｓにおいては、（１／２）×μ×（Ｗ／Ｌ）Ｃｏｘ（Ｖｇｓ−Ｖｔｈ）２ ……（１）により表され、これによりゲートソース間電圧Ｖｇｓによる階調の設定により経時変化による駆動電流の変化を防止することができる。ここでμはキャリアの移動度、Ｗはゲート幅、Ｌはゲート長、Ｃｏｘは単位面積当たりのゲート容量、Ｖｔｈはしきい値電圧である。
【００１０】
これにより図１３との対比により図１６に示すように、各画素２３において、トランジスタＴＲ２のゲートドレインに対する信号レベル保持用のコンデンサＣ１の配置に代えて、このトランジスタＴＲ２のゲートソース間に信号レベル保持用のコンデンサＣ２を配置し、この信号レベル保持用のコンデンサＣ２に信号線ＳＩＧの信号レベルを設定する。またドライブスキャン信号ｄｓ１によりオン動作するトランジスタＴＲ３をトランジスタＴＲ２のソースに接続し、信号レベル保持用のコンデンサＣ２に信号線ＳＩＧの信号レベルを設定する期間の間、このトランジスタＴＲ３によりトランジスタＴＲ２のソース電位を一定電位に設定すると共に、有機ＥＬ素子１２の発光を停止する。なお図１６においては、この一定電位がアース電位の場合である。
【００１１】
またこのような画素２３による画素部２２の構成に対応して、垂直駆動回路２４においては、ライトスキャン回路２４Ａに加えて、このライトスキャン回路２４Ａによる書き込み信号ｗｓの出力に同期してドライブスキャン信号ｄｓ１を出力するドライブスキャン回路（ＤＳＣＮ）２４Ｂを設け、また水平駆動回路２５においては、駆動信号を生成して水平セレクタ２５Ａより出力する。
【００１２】
しかして実際上、図１７（Ａ）〜（Ｄ）及び図１８（Ａ）〜（Ｄ）に示すように、これによりこのディスプレイ装置２１では、ドライブスキャン信号ｄｓ１によるトランジスタＴＲ３のオンオフ動作により有機ＥＬ素子１２の発光、非発光を制御する。またトランジスタＴＲ３のオン制御によりトランジスタＴＲ２のソース電位を一定電位に設定して有機ＥＬ素子１２の発光を停止している期間で、書き込み信号ｗｓによりトランジスタＴＲ１をオン動作させ、信号レベル保持用のコンデンサＣ２に信号線ＳＩＧの信号レベルＶｉｎを設定する。またその後、書き込み信号ｗｓを立ち下げてトランジスタＴＲ１をオフ状態に設定した後、ドライブスキャン信号ｄｓ１を立ち下げ、これによりソース電圧Ｖｓが立ち上がって信号レベル保持用のコンデンサＣ２に設定された信号レベルＶｉｎに応じた電流駆動により有機ＥＬ素子１２を駆動する。なお図１８（Ａ）〜（Ｄ）は、図１７の各期間ＴＡ〜ＴＤにそれぞれ対応するトランジスタＴＲ２、ＴＲ３の設定を示す接続図である。
【００１３】
このようにしてゲートドレイン間電圧Ｖｇｄによる階調の設定に代えてゲートソース間電圧による階調の設定により有機ＥＬ素子１２の駆動電流を制御すれば、有機ＥＬ素子１２の特性が変化した場合であっても、階調データにより決まる一定電流により駆動し得、これにより経時変化による画質の劣化等を有効に回避することができる。
【００１４】
しかしながら上述した（１）式により判るように、このようにして有機ＥＬ素子１２による経時変化を防止するようにしても、トランジスタＴＲ２のしきい値電圧Ｖｔｈがばらついた場合には、その分、各画素２３における駆動電流がばらつくようになり、これにより画質が劣化する。このようなトランジスタＴＲ２のしきい値電圧Ｖｔｈのばらつきによる画質劣化を防止する方法として、信号レベル保持用のコンデンサＣ２に信号線ＳＩＧの信号レベルを設定する際に、事前に、トランジスタＴＲ２のしきい値電圧Ｖｔｈをこの信号レベル保持用のコンデンサＣ２にセットする方法が考えられる。
【００１５】
すなわちこの場合図１６との対比により図１９に示すように、トランジスタＴＲ２のゲートソース間に設ける信号レベル保持用のコンデンサＣｓ２に対して、カップリング用のコンデンサＣｓ１を介してトランジスタＴＲ１により信号線ＳＩＧの信号レベルを設定するようにして、トランジスタＴＲ２のゲートソース間を短絡させてトランジスタＴＲ２をダイオード接続に切り換えるトランジスタＴＲ５によるスイッチ回路、カップリング用のコンデンサＣｓ１のトランジスタＴＲ１側端を基準電位に設定するトランジスタＴＲ６によるスイッチ回路を設ける。これによりこのディスプレイ装置３１では、トランジスタＴＲ１によりコンデンサＣｓ１を介して信号線ＳＩＧの信号レベルＶｉｎにより信号レベル保持用のコンデンサＣｓ２の端子電圧を設定する。この場合、カップリング用のコンデンサＣｓ１を介した信号線ＳＩＧへの接続により、信号レベル保持用のコンデンサＣｓ２の端子間電圧は、信号線ＳＩＧの信号レベルＶｉｎをコンデンサＣｓ１、Ｃｓ２により分圧した電圧ΔＶｉｎ＝Ｖｉｎ（Ｃｓ１／（Ｃｓ１＋Ｃｓ２））……（２）だけ上昇することになる。これによりこの関係式を考慮して、水平駆動回路３５により信号線ＳＩＧが駆動される。
【００１６】
これにより図２０及び図２１に示すように、この場合も、画素３３においては、信号レベル保持用のコンデンサＣｓ２に設定された電圧によるゲートソース間電圧ＶｇｓによりトランジスタＴＲ２で有機ＥＬ素子１２を駆動して、有機ＥＬ素子１２の経時変化による画質劣化が防止される（図２０（Ｄ）〜（Ｆ）及び図２１（Ａ））。
【００１７】
このように信号線ＳＩＧの信号レベルＶｉｎにより信号レベル保持用のコンデンサＣｓ２の端子電圧を設定する直前で、このディスプレイ装置３１は、制御信号ａｚによりトランジスタＴＲ５をオン状態に設定してトランジスタＴＲ２をダイオード接続すると共に、カップリング用のコンデンサＣｓ１の信号線側端を所定の基準電位に保持し（図２０（Ｂ）及び図２１（Ｂ））、その後、ドライブスキャン信号ｄｓ１、ｄｓ２の切り換えにより、トランジスタＴＲ２のソースを基準電位に設定すると共に、トランジスタＴＲ２への電源の供給を停止する（図２０（Ｃ）、（Ｄ）及び図２１（Ｃ））。
【００１８】
これらによりトランジスタＴＲ２においては、一時的に立ち上がったゲート電圧Ｖｇが徐々に低下し、ゲートソース間電圧Ｖｇｓがしきい値電圧Ｖｔｈになると、ゲート電圧Ｖｇの低下が停止し、これにより信号レベル保持用のコンデンサＣｓ２にトランジスタＴＲ２のしきい値電圧Ｖｔｈが設定される（図２０（Ｅ）及び（Ｆ））。
【００１９】
これにより制御信号ａｚを切り換えてカップリング用コンデンサＣｓ１の信号線側端を基準電圧より切り離すと共に、トランジスタＴＲ２のダイオード接続を中止した後、書き込み信号ｗｓを立ち上げ、カップリング用のコンデンサＣｓ１を介して信号線ＳＩＧの信号レベルＶｉｎにより信号レベル保持用のコンデンサＣｓ２の端子電圧を設定する。これにより信号レベル保持用のコンデンサＣｓ２においては、トランジスタＴＲ２のしきい値電圧Ｖｔｈにより補正されて信号線ＳＩＧの信号レベルに対応する電圧が設定され、トランジスタＴＲ２においては、このコンデンサＣｓ２に設定された電圧によるゲートソース間電圧Ｖｇｓにより有機ＥＬ素子１２を電流駆動し（図２１（Ｅ））、トランジスタＴＲ２のしきい値電圧Ｖｔｈによるばらつきを防止することができる。
【００２０】
これらの画素３３の構成に対応して、ディスプレイ装置３１においては、垂直駆動回路３４に、書き込み信号ｗｓを出力するライトスキャン回路３４Ａ、ドライブスキャン信号ｄｓ１、ドライブスキャン信号ｄｓ２をそれぞれ出力するドライブスキャン回路２４Ｂ、２４Ｃを設け、さらにしきい値電圧Ｖｔｈの補正に係るトランジスタＴＲ５、ＴＲ６の制御信号ａｚを出力するオートゼロ回路（ＺＥＲＯ）３４Ｄを設けるようにする。また水平駆動回路３５においては、水平セレクタ３５Ａより各信号線ＳＩＧに駆動信号を出力する。
【００２１】
このようにすれば、有機ＥＬ素子１２を駆動するトランジスタＴＲ２のしきい値電圧Ｖｔｈがばらついた場合にあっても、このばらつきによる画質の劣化を防止することができる。
【００２２】
ところで図１６について上述したディスプレイ装置２１のようにして、信号レベル保持用のコンデンサＣ２の端子電圧の設定により有機ＥＬ素子１２の階調を設定する場合、黒階調においては、信号線ＳＩＧの信号レベルＶｉｎは０〔Ｖ〕に設定され、その結果、信号レベル保持用のコンデンサＣ２の端子間電圧にあってもトランジスタＴＲ２のしきい値電圧以下の０〔Ｖ〕に保持される。これにより本来ならば、トランジスタＴＲ２のカットオフにより有機ＥＬ素子１２に何ら電流が供給されないようになり、これにより有機ＥＬ素子１２においては、何ら発光しないことになる。
【００２３】
しかしながらトランジスタＴＲ２の特性がディプリーションの場合、しきい値電圧Ｖｔｈは、０〔Ｖ〕より低い電圧となる。これによりこの場合は、信号線ＳＩＧの信号レベルを０〔Ｖ〕に設定して信号レベル保持用のコンデンサＣ２の端子電圧を設定しても、トランジスタＴＲ２に電流が流れ、これにより有機ＥＬ素子１２が黒の階調で発光することになる。これにより図１６に示す構成によるディスプレイ装置２１においては、例えば全面を黒階調に設定した場合、微小に発光する画素が発生し、表示画面がザラついたように見て取られるいわゆる面ザラが発生する問題があった。またこのように本来黒レベルによる表示において、有機ＥＬ素子１２が僅かながらではあるが発光することにより、黒レベルによる階調が白レベル側に浮き上がったように見て取られるいわゆる黒浮きが発生する問題があり、さらには黒レベル側においてコントラストが低下する問題があった。
【００２４】
これに対して図１９に示す構成のディスプレイ装置３１においては、事前に、信号レベル保持用のコンデンサＣｓ２にトランジスタＴＲ２のしきい値電圧Ｖｔｈを設定することにより、このようなディプリーションの特性による面ザラ、黒浮き、コントラストの低下については解消することができる。
【００２５】
しかしながら信号レベル保持用のコンデンサＣｓ２へのしきい値電圧Ｖｔｈの設定においては、ばらつきを避け得ず、また有機ＥＬ素子を駆動するトランジスタＴＲ２自体もばらつくことになる。これによりこのようにしてトランジスタＴＲ２のしきい値電圧Ｖｔｈを補正する場合、（１）式について上述した括弧内の−Ｖｔｈの項を完全にキャンセルし得ず、僅かながらではあるが、信号レベル保持用のコンデンサＣｓ２に設定される電圧にばらつきが発生する。
【００２６】
このようなばらつきにあっては、信号レベル保持用のコンデンサＣｓ２に設定する本来の電圧が高い場合にあっては、殆ど問題とならないのに対し、信号レベル保持用のコンデンサＣｓ２に設定する電圧が低い場合、本来の端子間電圧に対して相対的にばらつきの電圧が大きくなることにより、表示画像に影響を与えることになる。これにより図１９に示す構成によるディスプレイ装置３１においても、面ザラ、黒浮きが発生し、コントラストが低下する問題があった。
【特許文献１】ＵＳＰ５，６８４，３６５
【特許文献２】特開平８−２３４６８３号
【発明の開示】
【発明が解決しようとする課題】
【００２７】
本発明は以上の点を考慮してなされたもので、ソースフォロワ回路構成によるトランジスタにより発光素子を駆動する構成において、面ザラ、黒浮き、コントラストの劣化を防止することができるディスプレイ装置、ディスプレイ装置の駆動回路及びディスプレイ装置の駆動方法を提案しようとするものである。
【課題を解決するための手段】
【００２８】
かかる課題を解決するため、本願発明においては、電流駆動による画素をマトリックス状に配置してなる画素部と、画素部を駆動する駆動回路とを有するディスプレイ装置に適用して、画素は、発光素子と、ゲートソース間に信号レベル保持用のコンデンサを保持し、信号レベル保持用のコンデンサの端子間電圧によるゲートソース間電圧により発光素子を駆動するソースフォロワ回路によるトランジスタと、トランジスタのゲートを信号線に接続する信号線用のスイッチ回路と、トランジスタのソースをソース側の基準電圧に接続するソース側のスイッチ回路とを有し、駆動回路は、ソース側のスイッチ回路をオン状態に設定して、トランジスタのソース電位をソース側の基準電圧に設定した状態で、信号線のスイッチ回路の駆動により、信号線の信号レベルにより信号レベル保持用のコンデンサの端子電圧を設定することにより、発光素子の駆動に供するトランジスタのゲートソース間電圧を設定し、ソース側の基準電圧が、信号線の信号レベルにより設定される信号レベル保持用のコンデンサの端子間電圧を、階調が低下する側にオフセットさせる電圧であり、前記駆動回路は、黒レベル以外の階調において、前記黒レベルの階調に対応する各階調の信号レベルを、前記ソース側の基準電圧の分、階調を増大させる側にオフセットさせて前記信号線の駆動信号を生成するようにする。
【００２９】
また、電流駆動による画素をマトリックス状に配置してなるディスプレイ装置に適用して、画素は、発光素子と、ゲートソース間に信号レベル保持用のコンデンサを保持し、信号レベル保持用のコンデンサの端子間電圧によるゲートソース間電圧により発光素子を駆動するソースフォロワ回路によるトランジスタと、一定の期間、トランジスタのゲートを信号線に接続し、信号レベル保持用のコンデンサの端子電圧を信号線の信号レベルにより設定する信号線用のスイッチ回路と、少なくとも信号線用のスイッチ回路によりトランジスタのゲートを信号線に接続している期間の間、トランジスタのソースをソース側の基準電圧に接続するソース側のスイッチ回路とを有し、ソース側の基準電圧が、信号線の信号レベルにより設定される信号レベル保持用のコンデンサの端子間電圧を、階調が低下する側にオフセットさせる電圧であるようにする。
【００３０】
また、有機ＥＬ素子による画素をマトリックス状に配置してなるディスプレイ装置に適用して、画素は、有機ＥＬ素子と、ゲートソース間に信号レベル保持用のコンデンサを保持し、信号レベル保持用のコンデンサの端子間電圧によるゲートソース間電圧により有機ＥＬ素子を駆動するソースフォロワ回路によるトランジスタと、一定の期間、トランジスタのゲートを信号線に接続し、信号レベル保持用のコンデンサの端子電圧を信号線の信号レベルにより設定する信号線用のスイッチ回路と、少なくとも信号線用のスイッチ回路によりトランジスタのゲートを信号線に接続している期間の間、トランジスタのソースをソース側の基準電圧に接続するソース側のスイッチ回路とを有し、ソース側の基準電圧が、信号線の信号レベルにより設定される信号レベル保持用のコンデンサの端子間電圧を、階調が低下する側にオフセットさせる電圧であるようにする。
【００３１】
また、電流駆動による画素をマトリックス状に配置してなるディスプレイ装置の駆動回路に適用して、画素は、発光素子と、ゲートソース間に信号レベル保持用のコンデンサを保持し、信号レベル保持用のコンデンサの端子間電圧によるゲートソース間電圧により発光素子を駆動するソースフォロワ回路によるトランジスタと、一定の期間、トランジスタのゲートを信号線に接続し、信号レベル保持用のコンデンサの端子電圧を信号線の信号レベルにより設定する信号線用のスイッチ回路と、少なくとも信号線用のスイッチ回路によりトランジスタのゲートを信号線に接続している期間の間、トランジスタのソースをソース側の基準電圧に接続するソース側のスイッチ回路とを有し、ソース側の基準電圧が、信号線の信号レベルにより設定される信号レベル保持用のコンデンサの端子間電圧を、階調が低下する側にオフセットさせる電圧であり、ディスプレイ装置の駆動回路は、黒レベル以外の階調において、黒レベルの階調に対応する各階調の信号レベルを、ソース側の基準電圧の分、階調を増大させる側にオフセットさせて信号線の駆動信号を生成する。
【００３２】
また、電流駆動による画素をマトリックス状に配置してなる画素部と、画素部を駆動する駆動回路とを有するディスプレイ装置の駆動方法に適用して、画素は、発光素子と、ゲートソース間に信号レベル保持用のコンデンサを保持し、信号レベル保持用のコンデンサの端子間電圧によるゲートソース間電圧により発光素子を駆動するソースフォロワ回路によるトランジスタと、トランジスタのゲートを信号線に接続する信号線用のスイッチ回路と、トランジスタのソースをソース側の基準電圧に接続するソース側のスイッチ回路とを有し、ディスプレイ装置の駆動方法は、ソース側のスイッチ回路をオン状態に設定して、トランジスタのソース電位をソース側の基準電圧に設定した状態で、信号線用のスイッチ回路の駆動により、信号線の信号レベルにより信号レベル保持用のコンデンサの端子電圧を設定することにより、発光素子の駆動に供するトランジスタのゲートソース間電圧を設定し、ソース側の基準電圧が、信号線の信号レベルにより設定される信号レベル保持用のコンデンサの端子間電圧を、階調が低下する側にオフセットさせる電圧であり、前記駆動方法は、黒レベル以外の階調において、前記黒レベルの階調に対応する各階調の信号レベルを、前記ソース側の基準電圧の分、階調を増大させる側にオフセットさせて前記信号線の駆動信号を生成するようにする。
【００３３】
本願発明の構成により、電流駆動による画素をマトリックス状に配置してなる画素部と、画素部を駆動する駆動回路とを有するディスプレイ装置に適用して、画素は、発光素子と、ゲートソース間に信号レベル保持用のコンデンサを保持し、信号レベル保持用のコンデンサの端子間電圧によるゲートソース間電圧により発光素子を駆動するソースフォロワ回路によるトランジスタと、トランジスタのゲートを信号線に接続する信号線用のスイッチ回路と、トランジスタのソースをソース側の基準電圧に接続するソース側のスイッチ回路とを有し、駆動回路は、ソース側のスイッチ回路をオン状態に設定して、トランジスタのソース電位をソース側の基準電圧に設定した状態で、信号線のスイッチ回路の駆動により、信号線の信号レベルにより信号レベル保持用のコンデンサの端子電圧を設定することにより、発光素子の駆動に供するトランジスタのゲートソース間電圧を設定すれば、信号線の信号レベルにより信号レベル保持用のコンデンサの端子電圧を設定した後、この信号レベル保持用のコンデンサの端子間電圧によるゲートソース間電圧によりトランジスタで発光素子を電流駆動し得、これにより発光素子の経時変化による影響を有効に回避して、発光素子を駆動することができる。このときこのような信号線の信号レベルにより信号レベル保持用のコンデンサの端子電圧を設定する際に、ソース側に接続されるソース側の基準電圧が、信号線の信号レベルにより設定される信号レベル保持用のコンデンサの端子間電圧を、階調が低下する側にオフセットさせる電圧であることにより、単にコンデンサ側の基準電圧を設定するだけで、黒レベルで確実に発光素子を発光させないようにすることができ、これにより発光素子を駆動するトランジスタのしきい値電圧を補正するようにして、面ザラ、黒浮き、コントラストの劣化を防止することができる。
【００３４】
また、電流駆動による画素、有機ＥＬ素子による画素をマトリックス状に配置してなるディスプレイ装置に適用して、面ザラ、黒浮き、コントラストの劣化を防止することができる。また、面ザラ、黒浮き、コントラストの劣化を防止することができるディスプレイ装置の駆動回路を提供することができる。また、発光素子を駆動するトランジスタのしきい値電圧を補正するようにしてなるディスプレイ装置について、面ザラ、黒浮き、コントラストの劣化を防止することができるディスプレイ装置の駆動方法を提供することができる。
【発明の効果】
【００３５】
本発明によれば、ソースフォロワ回路構成により発光素子をトランジスタにより駆動する構成において、面ザラ、黒浮き、コントラストの劣化を防止することができる。
【発明を実施するための最良の形態】
【００３６】
以下、適宜図面を参照しながら本発明の実施例を詳述する。
【実施例１】
【００３７】
（１）実施例の構成
図１は、図１６との対比により本発明の実施例１に係るディスプレイ装置を示す接続図である。このディスプレイ装置５１において、画素部５２は、電流駆動による画素５３がマトリックス状に配置され、これらの画素５３に対して、走査線ＳＣＮ、ＳＣＮ１がライン単位で水平方向に設けられる。またこれらの走査線ＳＣＮ、ＳＣＮ１と直交するように信号線ＳＩＧが各列毎に垂直方向に設けられる。このようにして形成されてなる画素部５２に対して、ディスプレイ装置５１は、垂直駆動回路５４により走査線ＳＣＮ、ＳＣＮ１を駆動して順次ライン単位で画素５３に設けられた画素回路の動作を制御すると共に、この画素回路の制御に対応するように水平駆動回路５５により信号線ＳＩＧを駆動して各画素５３の階調を設定するようになされている。
【００３８】
このため垂直駆動回路５４は、各画素５３への書き込みをライン単位で順次指示する書き込み信号ｗｓをライトスキャン回路（ＷＳＣＮ）５４Ａにより生成し、またこの書き込み信号ｗｓに同期してドライブスキャン信号ｄｓ１をドライブスキャン回路５４Ｂにより生成し、これら書き込み信号ｗｓ、ドライブスキャン信号ｄｓ１を走査線ＳＣＮ、ＳＣＮ１に出力して各画素５３における階調の設定を制御するようになされている。また水平駆動回路５５においては、各画素５３の階調を指示する階調データＤ１に応じて駆動信号を生成し、この駆動信号を水平セレクタ（ＨＳＥＬ）５５Ａにより各信号線ＳＩＧに振り分けて出力するようになされている。
【００３９】
このディスプレイ装置５１に係る画素５３においては、トランジスタＴＲ２のソースをトランジスタＴＲ３により基準電圧Ｖｏｆに接続するようになされ、この基準電圧Ｖｏｆが、信号レベル保持用のコンデンサＣ２への信号線ＳＩＧの信号レベルの設定において、負のオフセット電圧を与える電源に設定されるようになされている。各画素５３においては、このトランジスタＴＲ３に係る基準電圧Ｖｏｆの設定が異なる点を除いて、図１６のディスプレイ装置２１の画素１３と同一に構成される。
【００４０】
具体的に、基準電圧Ｖｏｆは、電源Ｖｃｃ側に所定電位だけ立ち上がる正側電源電圧に設定される。また電圧値にあっては、トランジスタＴＲ２のしきい値電圧Ｖｔｈが種々にばらついた場合でも、このしきい値電圧Ｖｔｈを越える電圧に設定され、これによりディスプレイ装置４１では、黒レベルの階調により信号レベル保持用のコンデンサＣ２の端子電圧を設定して、トランジスタＴＲ２を確実にカットオフさせることができるようになされている。このためこの実施例では、この画素部５２に各種の電源を供給する電源回路において、この基準電圧Ｖｏｆを調整できるように形成され、この調整により、基準電圧Ｖｏｆが、黒レベルの階調によっては各画素５３が発光しない電圧に設定されるようになされている。
【００４１】
これによりこの画素５３においては、図２に示すように、黒レベルによる階調の設定においては、確実にトランジスタＴＲ２をカットオフさせて有機ＥＬ素子１２を駆動しないようにして、面ザラ、黒浮き、コントラストの低下を防止するようになされている。なおこの図２は、黒レベルにより階調を表示する場合の例である。
【００４２】
すなわちこの場合、図２に示すように、この画素５３においては、信号レベル保持用のコンデンサＣ２に保持された端子間電圧によるゲートソース間電圧Ｖｇｓにより有機ＥＬ素子１２を駆動して、ドライブスキャン信号ｄｓ１により発光、非発光が制御される（図２（Ｂ）〜（Ｄ））。ディスプレイ装置５１では、このドライブスキャン信号ｄｓ１による非発光の設定により、トランジスタＴＲ２のソース電圧が基準電圧Ｖｏｆに保持され、またこのようにしてトランジスタＴＲ２のソース電圧を基準電圧Ｖｏｆに保持した状態で、この非発光の一部期間で書き込み信号ｗｓが立ち上げられ（図２（Ａ））、これによりトランジスタＴＲ１によりトランジスタＴＲ２のゲートが信号線ＳＩＧに接続され、信号レベル保持用のコンデンサＣ２の端子電圧が信号線ＳＩＧの信号レベルＶｉｎに設定される。
【００４３】
しかしてこの場合、信号レベル保持用のコンデンサＣ２の他端においては、トランジスタＴＲ２のソースに接続されて、基準電圧Ｖｏｆに保持されていることにより、結局、信号レベル保持用のコンデンサＣ２においては、この信号線ＳＩＧの信号レベルＶｉｎによる端子電圧の設定により、端子間電圧がＶｉｎ−Ｖｏｆに設定され、これにより階調が低下する側に基準電圧Ｖｏｆにより信号線ＳＩＧの信号レベルＶｉｎがオフセットされて設定される。
【００４４】
これにより画素５３においては、トランジスタＴＲ２の特性がディプリーションの場合でも、黒レベルの階調については、トランジスタＴＲ２のゲートソース間電圧ＶｇｓをトランジスタＴＲ２のしきい値電圧以下に設定して、確実に有機ＥＬ素子１２を発光させないようにし得、これにより面ザラ、黒浮き、コントラストの劣化を防止することができるようになされている。
【００４５】
（２）実施例の動作
以上の構成において、このディスプレイ装置５１は（図２）、垂直駆動回路５４による走査線ＳＣＮ、ＳＣＮ１の駆動により順次ライン単位で水平駆動回路５５により駆動される信号線ＳＩＧの信号レベルが各画素５３に設定される。ディスプレイ装置５１は、この各画素５３に設定した信号レベルにより各画素５３が発光して所望の画像が表示される。
【００４６】
ディスプレイ装置５１では、各画素５３において、有機ＥＬ素子１２を駆動するソースフォロワ回路構成のトランジスタＴＲ２のゲートソース間に信号レベル保持用のコンデンサＣ２が設けられ、トランジスタＴＲ１によるスイッチ回路によりこのトランジスタＴＲ２のゲートを信号線ＳＩＧに接続することにより、信号レベル保持用のコンデンサＣ２の端子電圧が信号線ＳＩＧの信号レベルＶｉｎに設定される。またこのようにして設定した信号レベル保持用のコンデンサＣ２の端子間電圧によるゲートソース間電圧ＶｇｓによりトランジスタＴＲ２で有機ＥＬ素子１２が電流駆動される。
【００４７】
これによりディスプレイ装置５１においては、有機ＥＬ素子１２の電圧電流特性の経時変化による駆動電流の変化を防止し得、有機ＥＬ素子１２の経時変化による画質の劣化を有効に回避することができる。また各画素５３をｎチャンネル型ＭＯＳトランジスタにより形成し、またトランジスタＴＲ２によるアノード側より有機ＥＬ素子１２を駆動することができ、これらによりアモルファスシリコンのプロセスを適用して有機ＥＬ素子と画素回路とをガラス基板上に一体に形成することができる。
【００４８】
ディスプレイ装置５１では、このような信号線ＳＩＧの信号レベルＶｉｎによる信号レベル保持用のコンデンサＣ２の端子電圧の設定において、トランジスタＴＲ２のソースがトランジスタＴＲ３により基準電圧Ｖｏｆに設定され、これにより信号レベル保持用のコンデンサＣ２においては、他端側が基準電圧Ｖｏｆに保持された状態で、信号線ＳＩＧの信号レベルＶｉｎにより一端の端子電圧が設定され、端子間電圧がＶｉｎ−Ｖｏｆに設定される。これにより信号レベル保持用のコンデンサＣ２においては、階調を低下させるように、端子間電圧がこの基準電圧Ｖｏｆの分だけ低い電圧にオフセットされて設定される。
【００４９】
この実施例では、トランジスタＴＲ２の特性がディプリーションの場合でも、黒レベルの階調については、確実にトランジスタＴＲ２のカットオフさせることができる電圧にこのオフセットさせる基準電圧Ｖｏｆが設定されていることにより、ディスプレイ装置５１では、この基準電圧Ｖｏｆを設定するだけの簡易な構成により、黒レベルの階調については、有機ＥＬ素子１２を発光させない電圧に設定され、これにより面ザラ、黒浮き、コントラストの劣化を防止することができる。
【００５０】
（３）実施例の効果
以上の構成によれば、ソースフォロワ回路構成のトランジスタにより発光素子を電流駆動する場合に、信号線の信号レベルによりゲートソース間に設けた信号レベル保持用のコンデンサの端子電圧を設定して、この信号レベル保持用のコンデンサの端子間電圧によるゲートソース間電圧により発光素子を駆動するようにして、このトランジスタのソース側端を基準電圧に接続してこの基準電圧により階調を低下させるように信号レベル保持用のコンデンサに設定される端子間電圧をオフセットさせることにより、ソースフォロワ回路構成によるトランジスタにより発光素子を駆動する構成において、簡易な構成により面ザラ、黒浮き、コントラストの劣化を防止することができる。
【実施例２】
【００５１】
図３は、図１との対比により本発明の実施例２に係るディスプレイ装置を示す接続図である。このディスプレイ装置６１においては、トランジスタＴＲ２のドレインと電源Ｖｃｃとの間にトランジスタＴＲ４によるスイッチ回路が設けられ、このスイッチ回路によりトランジスタＴＲ２への電源の供給を制御する。なおこのディスプレイ装置６１においては、このトランジスタＴＲ４に関連する構成が異なる点を除いて、実施例１のディスプレイ装置５１と同一に構成される。これによりこのディスプレイ装置６１では、垂直駆動回路６４に、書き込み信号ｗｓを出力するライトスキャン回路６４Ａ、ドライブスキャン信号ｄｓ１を出力するドライブスキャン回路６４Ｂが設けられ、またさらにトランジスタＴＲ４の制御に係るドライブスキャン信号ｄｓ２を出力するドライブスキャン回路６４Ｃが設けられるようになされている。また水平駆動回路６５は、階調データＤ１に応じて駆動信号を生成し、この駆動信号を水平セレクタ６５Ａにより出力するようになされている。
【００５２】
ここで図４に示すように、このディスプレイ装置６１では、トランジスタＴＲ３に代えて、トランジスタＴＲ４の制御により有機ＥＬ素子１２の発光、非発光を制御し、これにより非発光の期間においては、各画素回路で電力を消費しないようにし、全体の消費電力を軽減する。
【００５３】
またこのようにして発光、非発光を制御して、非発光の期間の所定のタイミングで書き込み信号ｗｓを立ち上げて信号線ＳＩＧの信号レベルＶｉｎにより信号レベル保持用のコンデンサＣ２の端子電圧を設定する。またこのように信号レベル保持用のコンデンサＣ２の端子電圧を信号線ＳＩＧの信号レベルＶｉｎにより設定する期間においては、トランジスタＴＲ３をオン状態に設定し、信号レベル保持用のコンデンサＣ２の他端の電圧を基準電圧Ｖｏｆに保持する。
【００５４】
これによりこの実施例においても、トランジスタのソース側端を基準電圧に接続してこの基準電圧により階調を低下させるように信号レベル保持用のコンデンサに設定される端子間電圧をオフセットさせるようになされている。
【００５５】
図３の構成によれば、電源Ｖｃｃに設けたトランジスタＴＲ４によるスイッチ回路によりトランジスタＴＲ２への電源の供給を制御して発光、非発光を制御するようにしても、実施例１と同様の効果を得ることができる。
【実施例３】
【００５６】
図５は、図１９との対比により本発明の実施例２に係るディスプレイ装置を示す接続図である。このディスプレイ装置７１においては、図１９について上述したディスプレイ装置３１と同様に、トランジスタＴＲ４により有機ＥＬ素子１２の発光、非発光を制御し、非発光の期間の間で、トランジスタＴＲ５、ＴＲ６をオン状態に設定して信号レベル保持用のコンデンサＣｓ２にトランジスタＴＲ２のしきい値電圧Ｖｔｈを設定した後、トランジスタＴＲ１によりこの信号レベル保持用のコンデンサＣｓ２の端子電圧を信号線ＳＩＧの信号レベルＶｉｎにより設定する。これによりこの実施例においては、有機ＥＬ素子１２の経時変化、トランジスタＴＲ２のしきい値電圧Ｖｔｈのばらつきによる画質劣化を防止するようになされている。
【００５７】
このため画素部７２の各画素７３においては、カップリング用のコンデンサＣｓ１、トランジスタＴＲ５、ＴＲ６によるしきい値電圧Ｖｔｈの補正に係る構成が設けられ、また垂直駆動回路７４においては、書き込み信号ｗｓ、ドライブスキャン信号ｄｓ１、ｄｓ２をそれぞれ出力するライトスキャン回路７４Ａ、ドライブスキャン回路７４Ｂ、７４Ｄが設けられ、またトランジスタＴＲ５、ＴＲ６の制御に係る制御信号ａｚを出力するオートゼロ回路７４Ｄが設けられるようになされている。
【００５８】
図２０及び図２１との対比により図６及び図７に示すように、このディスプレイ装置７１では、このように信号レベル保持用のコンデンサＣｓ２にトランジスタＴＲ２のしきい値電圧Ｖｔｈを設定した後、トランジスタＴＲ１によりこの信号レベル保持用のコンデンサＣｓ２の端子電圧を信号線ＳＩＧの信号レベルＶｉｎにより設定する際に、信号レベル保持用のコンデンサＣｓ２の他端がトランジスタＴＲ３により基準電圧Ｖｏｆに接続される。これによりこの実施例においても、この基準電圧Ｖｏｆにより、信号線ＳＩＧの信号レベルＶｉｎにより設定される信号レベル保持用のコンデンサＣｓ２の端子間電圧を、階調が低下する側にオフセットさせるようになされている。なお図２０は、黒レベルの階調により有機ＥＬ素子１２を駆動する場合である。
【００５９】
具体的に、基準電圧Ｖｏｆは、電源Ｖｃｃ側に所定電位だけ立ち上がる正側電源電圧に設定される。また電圧値にあっては、信号レベル保持用のコンデンサＣｓ２にトランジスタＴＲ２のしきい値電圧Ｖｔｈを設定して、このしきい値電圧Ｖｔｈの設定、トランジスタＴＲ２がばらついた場合でも、黒レベルの階調により信号レベル保持用のコンデンサＣｓ２を設定して、トランジスタＴＲ２を確実にカットオフさせる電圧を信号レベル保持用のコンデンサＣｓ２に設定する電圧に設定される。このためこの実施例では、この画素部５２に各種の電源を供給する電源回路において、この基準電圧Ｖｏｆを調整できるように形成される。
【００６０】
これによりこの画素７３においては、黒レベルによる階調の設定においては、確実にトランジスタＴＲ２をカットオフさせて有機ＥＬ素子１２を駆動しないようにして、面ザラ、黒浮き、コントラストの低下を防止するようになされている。
【００６１】
このような画素７３における基準電圧Ｖｏｆによるオフセット電圧の供給に対応して、このディスプレイ装置７１において、シグナルドライバ７５Ｂは、階調データＤ１により指示される階調に対して、図８及び図９に示すような特性により駆動信号を生成して信号線に出力する。ここで図８は、信号レベル保持用のコンデンサＣｓ２の端子間電圧Ｖｃｓ２と階調データＤ１による階調を示す特性曲線図であり、図９は、信号線ＳＩＧに出力する駆動信号の信号レベルＶｉｎと階調データＤ１との関係を示す特性曲線図である。また符号Ｌ３は、トランジスタＴＲ３によりトランジスタＴＲ２のソースをアース電位に接続する場合の特性曲線であり、符号Ｌ４は、この実施例に係る特性曲線である。
【００６２】
通常、この種のディスプレイ装置の駆動信号は、有機ＥＬ素子１２の発光特性に対応して、階調の増大により順次信号レベルが０レベルから増大するように設定され（図８、符号Ｌ３）、これによりトランジスタＴＲ３によりトランジスタＴＲ２のソースをアース電位に接続して黒レベルの階調を表示する場合、信号レベル保持用のコンデンサＣｓ２の端子間電圧Ｖｃｓ２は、トランジスタＴＲ２のしきい値電圧Ｖｔｈに設定され（図８、符号Ｌ３）、これによりトランジスタＴＲ２においては、本来、カットオフ状態に保持されて有機ＥＬ素子１２を駆動し得ず、黒レベルの階調が表現されることになる。
【００６３】
しかしながらこの実施例においては、基準電圧Ｖｏｆにより信号レベル保持用のコンデンサＣｓ２に設定される端子間電圧をオフセットさせることにより、トランジスタＴＲ３によりトランジスタＴＲ２のソースをアース電位に接続する場合と同様の特性により駆動信号を生成した場合には、黒側に階調が沈み込んで階調を正しく表現することが困難になり、また黒レベルに続く階調において、黒レベルの階調における場合の面ザラ等の問題が発生することになる。
【００６４】
このためシグナルドライバ７５Ｂは、黒レベルについては、トランジスタＴＲ３によりトランジスタＴＲ２のソースをアース電位に接続する場合と同一の信号レベルにより駆動信号を生成する。また黒レベル以外については、トランジスタＴＲ３によりトランジスタＴＲ２のソースをアース電位に接続する場合に対して、基準電圧Ｖｏｆに対応する分だけ高い電圧により駆動信号を生成する。なおこの基準電圧Ｖｏｆに対応する分だけの高い電圧にあっては、カップリング用のコンデンサＣｓ１を介して信号レベル保持用のコンデンサＣｓ１の端子電圧を設定することによる（２）式について上述した関係式による電圧である。これによりこの実施例では、黒レベル以外の階調において、黒レベルの階調に対応する各階調の信号レベルを、ソース側の基準電圧Ｖｏｆの分、階調を増大させる側にオフセットさせて信号線ＳＩＧの駆動信号を生成するようになされ、これにより信号レベル保持用のコンデンサＣｓ２の端子間電圧をオフセットさせて面ザラ等を防止するようにして、正しい階調により画像表示できるようになされている。
【００６５】
この実施例によれば、トランジスタＴＲ２のしきい値電圧を信号レベル保持用のコンデンサＣｓ２に設定した後、信号線の信号レベルにより信号レベル保持用のコンデンサＣｓ２の端子電圧を設定する構成においても、このトランジスタのソース側端を基準電圧に接続してこの基準電圧により階調を低下させるように信号レベル保持用のコンデンサに設定される端子間電圧をオフセットさせることにより、面ザラ、黒浮き、コントラストの劣化を防止することができる。
【実施例４】
【００６６】
図１０は、本発明の実施例４に係るディスプレイ装置を示す接続図である。このディスプレイ装置７１においては、トランジスタＴＲ２のソースを基準電圧Ｖｏｆに接地するトランジスタＴＲ３が、書き込み信号ｗｓにより制御される。これによりこのディスプレイ装置７１では、このトランジスタＴＲ３の制御信号であるドライブスキャン信号ｄｓ１を省略して、その分、画素７３を高密度により配置できるようになされ、また垂直駆動回路７４の構成を簡略化できるようになされている。
【００６７】
このディスプレイ装置８１は、この書き込み信号ｗｓに関連する制御が異なる点を除いて実施例３に係るディスプレイ装置７１と同一に構成される。これによりそれぞれ書き込み信号ｗｓ、ドライブスキャン信号ｄｓ２、制御信号ａｚを出力するライトスキャン回路８４Ａ、ドライブスキャン回路８４Ｃ、オートゼロ回路８４Ｄが垂直駆動回路８４に設けられるようになされている。また水平駆動回路８５においては、シグナルドライバ８５Ｂにより図９について上述した特性により駆動信号を生成して水平セレクタ８５Ａにより各信号線ＳＩＧに振り分けるようになされている。
【００６８】
この実施例のように、トランジスタＴＲ２のソースを基準電圧Ｖｏｆに接地するトランジスタＴＲ３を書き込み信号ｗｓにより制御する場合でも、実施例３と同一の効果を得ることができる。
【実施例５】
【００６９】
図１１は、本発明の実施例５に係るディスプレイ装置を示す接続図である。このディスプレイ装置９１においては、トランジスタＴＲ２のソースを基準電圧Ｖｏｆに接地するトランジスタＴＲ３が、しきい値電圧Ｖｔｈの補正を指示する制御信号ａｚにより制御される。これによりこのディスプレイ装置９１では、このトランジスタＴＲ３の制御信号であるドライブスキャン信号ｄｓ１を省略して、その分、画素９３を高密度により配置できるようになされ、また垂直駆動回路９４の構成を簡略化できるようになされている。
【００７０】
このディスプレイ装置９１は、この書き込み信号ｗｓに関連する制御が異なる点を除いて実施例３に係るディスプレイ装置７１と同一に構成される。これによりそれぞれ書き込み信号ｗｓ、ドライブスキャン信号ｄｓ２、制御信号ａｚを出力するライトスキャン回路９４Ａ、ドライブスキャン回路９４Ｃ、オートゼロ回路９４Ｄが垂直駆動回路９４に設けられるようになされている。また水平駆動回路９５においては、シグナルドライバ９５Ｂにより図９について上述した特性により駆動信号を生成して水平セレクタ９５Ａにより各信号線ＳＩＧに振り分けるようになされている。
【００７１】
この実施例のように、トランジスタＴＲ２のソースを基準電圧Ｖｏｆに接地するトランジスタＴＲ３を、しきい値電圧Ｖｔｈの補正を指示する制御信号ａｚにより制御する場合でも、実施例３と同一の効果を得ることができる。
【実施例６】
【００７２】
なお上述の実施例においては、ディジタルアナログ変換回路であるシグナルドライバにより階調を補正する場合について述べたが、本発明はこれに限らず、例えばディジタルアナログ変換回路の前段で階調を補正するようにしてもよい。
【００７３】
また上述の実施例においては、ｎチャンネル型のトランジスタにより画素回路を作成する場合について述べたが、本発明はこれに限らず、例えばｐチャンネル型のトランジスタにより画素回路を作成する場合にも広く適用することができる。
【００７４】
また上述の実施例においては、基準電圧Ｖｏｆの設定により画素部で黒レベルを設定し、併せて水平駆動回路側で階調を補正する場合について述べたが、本発明はこれに限らず、実用上十分な特性を確保できる場合には、水平駆動回路側における階調の補正を省略するようにしてもよい。
【００７５】
また上述の実施例においては、有機ＥＬ素子による発光素子を電流駆動する場合について述べたが、本発明はこれに限らず、電流駆動に係る種々の発光素子によるディスプレイ装置に広く適用することができる。
【産業上の利用可能性】
【００７６】
本発明は、ディスプレイ装置、ディスプレイ装置の駆動回路及びディスプレイ装置の駆動方法に関し、例えば有機ＥＬ素子によるディスプレイ装置に適用することができる。
【図面の簡単な説明】
【００７７】
【図１】本発明の実施例１に係るディスプレイ装置の画素を周辺構成と共に示す接続図である。
【図２】図１の画素の動作の説明に供するタイムチャートである。
【図３】本発明の実施例２に係るディスプレイ装置の画素を周辺構成と共に示す接続図である。
【図４】図３の画素の動作の説明に供するタイムチャートである。
【図５】本発明の実施例３に係るディスプレイ装置の画素を周辺構成と共に示す接続図である。
【図６】図５の画素の動作の説明に供するタイムチャートである。
【図７】図６のタイムチャートの説明に供する接続図である。
【図８】図５の画素に係る信号レベル保持用のコンデンサの端子間電圧と階調との関係を示す特性曲線図である。
【図９】図５の画素に係る信号線の駆動信号と階調との関係を示す特性曲線図である。
【図１０】本発明の実施例４に係るディスプレイ装置の画素を周辺構成と共に示す接続図である。
【図１１】本発明の実施例５に係るディスプレイ装置の画素を周辺構成と共に示す接続図である。
【図１２】ディスプレイ装置の構成を示すブロック図である。
【図１３】有機ＥＬ素子によるディスプレイ装置の構成を示す接続図である。
【図１４】有機ＥＬ素子の特性を示す特性曲線図である。
【図１５】有機ＥＬ素子の動作点の変化の説明に供する特性曲線図である。
【図１６】ソースフォロワ回路構成による画素回路を周辺構成と共に示す接続図である。
【図１７】図１６の画素回路の動作の説明に供するタイムチャートである。
【図１８】図１７のタイムチャートの説明に供する接続図である。
【図１９】しきい値電圧の補正に係るディスプレイ装置を示す接続図である。
【図２０】図１９のディスプレイ装置の動作の説明に供するタイムチャートである。
【図２１】図２０のタイムチャートの説明に供する接続図である。
【符号の説明】
【００７８】
１、１１、２１、３１、５１、６１、７１、８１、９１……ディスプレイ装置、２、２２、３２、５２、６２、７２、８２、９２……画素部、３、２３、３３、５３、６３、７３、８３、９３……画素、４、２４、３４、５４、６４、７４、８４、９４……垂直駆動回路、４Ａ、２４Ａ、３４Ａ、５４Ａ、６４Ａ、７４Ａ、８４Ａ、９４Ａ……ライトスキャン回路、５、２５、３５、５５、６５、７５、８５、９５……水平駆動回路、１２……有機ＥＬ素子、２４Ｂ、３４Ｂ、３４Ｃ、５４Ｂ、６４Ｂ、６４Ｃ、７４Ｂ、７４Ｃ、８４Ｃ、９４Ｃ……ドライブスキャン回路、３４Ｄ、７４Ｄ、８４Ｄ、９４Ｄ……オートゼロ回路、Ｃ１、Ｃ2 、Ｃｓ１、Ｃｓ２……コンデンサ、ＴＲ１〜ＴＲ６……トランジスタ
【図１】
0004830256.tif 000002
【図２】
0004830256.tif 000003
【図３】
0004830256.tif 000004
【図４】
0004830256.tif 000005
【図５】
0004830256.tif 000006
【図６】
0004830256.tif 000007
【図７】
0004830256.tif 000008
【図８】
0004830256.tif 000009
【図９】
0004830256.tif 000010
【図１０】
0004830256.tif 000011
【図１１】
0004830256.tif 000012
【図１２】
0004830256.tif 000013
【図１３】
0004830256.tif 000014
【図１４】
0004830256.tif 000015
【図１５】
0004830256.tif 000016
【図１６】
0004830256.tif 000017
【図１７】
0004830256.tif 000018
【図１８】
0004830256.tif 000019
【図１９】
0004830256.tif 000020
【図２０】
0004830256.tif 000021
【図２１】
0004830256.tif 000022